(57)【特許請求の範囲】
【請求項１】
ステム９上端に嵌合させた押下げヘッド１が有するノズル２０を、押下げヘッドから前方突出させた横棒部２２と、該横棒部外面へ緊密に嵌合させた、弾性に富む前端面閉塞の管状部材３０とで、横棒部外面前後方向へ上記ステムのステム孔９ａと連通する複数の溝２５を、かつ管状部材前壁３１の中央部に液圧で開口するスリット３２を、それぞれ穿設すると共に、上記横棒部２２の前面と管状部材前壁３１との間に、上記溝２５と連通する小間隙３３を介在させて形成したことを特徴とする、液体注出ポンプの押下げヘッドのノズル。
【発明の詳細な説明】
【０００１】
【発明の属する技術分野】
本発明は液体注出ポンプの押下げヘッドが有するノズルに関する。
【０００２】
【従来の技術】
例えば実開平７‐４０５０７  号が示すように、従来液体注出ポンプの押下げヘッドのノズルは、そのヘッド前面からヘッドと一体成形したノズルを突出して形成していたが、このノズルの場合は液体の粘度又はノズルの長さ等により液切れが悪くなることがあった。該欠点を除去するため、図４が示すように、上記従来のノズル４０前端部に弾性に富む、例えばゴム製の前端面閉塞筒体４１を嵌合させ、かつその前壁４２に液圧により開口するスリット４３を穿設してノズルとしたものが知られている。
【０００３】
【発明が解決しようとする課題】
上記図４が示すノズル付きヘッドを有する液体注出ポンプは、ポンプ操作による液圧上昇により上記スリットが弾性に抗し開かれて液体注出し、又該液体注出による液圧低下で再びスリットが閉じるよう設けたもので、このようにして注出液体の液切れをよくし、図時にノズル孔内に付着した液体乾燥によるノズルの目塞りを防止するが、そのポンプは、輸送時上記ノズルの先端部が他物との接触等により大きく変形された状態が長時間持続されると、そのため一種のクセを生じ、そのため上記接触等が解除された後も暫くは上記クセが残ってそのためスリットが開口したままとなることがあった。
【０００４】
本発明はそのような欠点を弾性筒体内へ棒状芯材を挿入させることで防止できるよう設けたものである。
【０００５】
【課題を解決するための手段】
ステム９上端に嵌合させた押下げヘッド１が有するノズル２０を、押下げヘッドから前方突出させた横棒部２２と、該横棒部外面へ緊密に嵌合させた、弾性に富む前端面閉塞の管状部材３０とで、横棒部外面前後方向へ上記ステムのステム孔９ａと連通する複数の溝２５を、かつ管状部材前壁３１の中央部に液圧で開口するスリット３２を、それぞれ穿設すると共に、上記横棒部２２の前面と管状部材前壁３１との間に、上記溝２５と連通する小間隙３３を介在させて形成した。
【０００６】
【発明の実施の形態】
１は液体注出ポンプの押下げヘッドで、該ヘッドは頂壁２中央部からステム嵌合筒３を垂下する。又頂壁２外周から周壁４を垂下し、該周壁前面上部を開口して該開口周縁と上記ステム嵌合筒の上部前面とを横筒５で連結して、前面開口の横穴６としている。又該横穴の奥壁を形成するステム嵌合筒前壁の中央部には小透孔７を穿設し、かつ該小透孔の前面側周縁部には小透孔から離れるにつれて次第に浅くなるテーパ状凹部８を穿設している。ステム嵌合筒３下半にはステム９上端部を嵌合させている。
【０００７】
上記横穴６内へは、保持筒１０で後半部を包持させたノズルを嵌合させる。
保持筒１０は、横穴６内へ緊密に嵌合させた筒壁１１前端に横穴前面外周に係合する外向きフランジ部１２を有し、かつ該フランジ部を内方へ延長して内向きフランジ部１３としている。
【０００８】
ノズル２０は、図示例で棒状部材２１と管状部材とで形成され、棒状部材は横棒部２２後端に外向きフランジ２３を付設し、かつ該外向きフランジから外筒２４を、上記保持筒１０よりも短かく前方へ突出する。又横棒部２２には図２が示すように、等間隔に数本の溝２５を、上記外向きフランジ部分は透孔２６として横棒部後端から前方へ穿設している。横棒部前端面は図１において凸球面状に前方突出しているが、後述管状部材の前壁に対応させて図２のように凹球面状に形成してもよく、その他種々の形状をすることが可能である。
【０００９】
３０は上記横棒部２２外面に緊密に嵌合させた管状部材で、例えばゴム等弾性に富む部材で形成したものであり、前面に前壁３１を有し、該前壁中央部にスリット３２を有する。該スリットは−型、＋型、或いはＹ字型等に形成し、管状部材内面が液体により高圧化したとき弾性に抗して開口し、又その液圧解消により再び弾性復元して閉塞するよう設けておく。その前壁３１と既述横棒部２２の前面との間には加圧液体が流入可能に小間隙３３を設け、かつ該小間隙は横棒部の溝２５前端と連通させる。図示例では管状部材の前半部を大内径の肉薄部とし、該前半部においては横棒部前半外周面と管状部材前半部の内壁面との間にも小間隙が形成させている。管状部材の中間部には外向きフランジ３４を付設し、更に該外向きフランジ外周に前後両方向へ端部を突出させて短筒３５を付設している。
【００１０】
既述の保持筒１０およびノズル２０は、予め横棒部２２外面へ管状部材３０を嵌合させた後、棒状部材２１の外筒２４外面へ、保持筒１０を嵌合させ、次いでこれ等を既述横穴６内へかた嵌め状態に嵌合させればよい。
【００１１】
上記構成において、押下げヘッド押下げによりステム９を通って上昇した液体がステム嵌合筒３の小透孔７を通り、更に透孔２６および溝２５を通って横棒部２２前面と管状部材３０の前壁３１との間に入り、するとその液圧によりスリット３２が開いて液体を注出し、該液体注出による液圧低下で再びスリット３２が閉じる。
【００１２】
図示実施形態では押下げヘッドに横穴６を穿設して該横穴内へ、保持筒１０を後半部へ嵌合させたノズル２０を嵌合させたが、保持筒１０や棒状部材２１の外筒２４は必しも必要ではなく、管状部材３０を嵌合させた横棒部２２を直接横穴６内へ嵌合させることが出来、要するに横棒部２２の溝２５を液洩れしないようステム９のステム孔９ａと連通させればよい。
【００１３】
【発明の効果】
本発明は既述のように、液体注出ポンプのステム９上端に嵌合させた押下げヘッド１のノズル２０を、押下げヘッドから前方突出する横棒部２２と、該横棒部外面に緊密に嵌合させた弾性に富む前端面閉塞の管状部材３０とで形成したから、既述従来例の場合のように輸送時等における他物との接触等があっても、管状部材３０は横棒部２２との間の小間隙の範囲で僅かに弾性変形するに過ぎず、大きく変形した状態が長時間持続することは全くないから、既述従来例のようにスリット３２を開口したままとするクセが発生することがない。又横棒部外面の前後方向にステム孔と連通する溝２５を穿設すると共に横棒部の前面と管状部材前壁３１との間には溝２５と連通する小間隙３３を介在させ、その管状部材前壁に液圧で開口するスリット３２を穿設したから、ポンプ操作によりステム孔９ａを通って押出される加圧液体は上記溝２５および小間隙３３を通りスリット３２をその弾状に抗し開口して注出することとなり、その加圧状態解消で直ちにスリット３２が弾状復元により閉塞するため、横棒部２２を設けたに拘らず、既述従来例と同様に、液切れが良く、又ノズル孔内部に付着した液体の乾燥を防止してその目塞りを来すことがない、とする効果を有するものである。
【図面の簡単な説明】
【図１】本発明ノズルを有する押下げヘッドの断面図である。
【図２】図１ノズル構成部材としての棒状部材の斜視図である。
【図３】実施形態を異にして示す、本発明ノズルを有する押下げヘッドの断面図である。
【図４】従来例押下げヘッドの要部を切欠いて示す側面図である。
【符号の説明】
１…押下げヘッド            ６…横穴
２０…ノズル                  ２２…横棒部
２５…溝                                  ３０…管状部材
３２…スリット
【図１】
0003549954.tif 000002
【図２】
0003549954.tif 000003
【図３】
0003549954.tif 000004
【図４】
0003549954.tif 000005